(57)【要約】【課題】可動部分や部品点数が少なく、現場での扱いが容易な強固な構成でありながら、厚みの異なるテープを長手方向に切断して分割できるテープカッターを提供する。【解決手段】テープカッターは、基台１１と、テープ装着部１２と、テープガイド部１４と、分割刃部１５とを備える。テープ装着部１２は、基台１１の表面に設けられ、テープ１３が巻き付け方向に対して回動自在に装着される。テープガイド部１４は、基台１１の表面に設けられ、テープ装着部１２から引き出されたテープ１３を、基台１１の表面に沿って導くスリット状である。分割刃部１５は、テープガイド部１４を介して導かれたテープ１３を長手方向に切断するものである。そして、テープ装着部１２から引き出したテープ１３を、テープガイド部１４でガイドしつつカッター刃１５−３に導いて長手方向に切断し、テープ１３を引っ張ることで分割していく、ことを特徴とする。【選択図】図１
0003233274.tif 000002
【実用新案登録請求の範囲】
【請求項１】
基台と、
前記基台の表面に設けられ、テープが巻き付け方向に対して回動自在に装着されるテープ装着部と、
前記基台の表面に設けられ、前記テープ装着部から引き出された前記テープを、前記基台の表面に沿って導くスリット状のテープガイド部と、
前記テープガイド部を介して導かれた前記テープを長手方向に切断する分割刃部と、を具備することを特徴とするテープカッター。
【請求項２】
前記テープ装着部は、前記基台に取り付けられ、前記テープの芯材またはリールを挿入して回転させる回転軸である、ことを特徴とする請求項１に記載のテープカッター。
【請求項３】
前記ガイド部は、一方の側面が前記基台の表面に固定された板状の第１部材と、前記第１部材の上面との間に所定の間隔で配置され、前記テープ装着部から引き出された前記テープが通過するスリット状の隙間を形成する第２部材と、前記第１部材に取り付けられ、前記第１部材と前記第２部材で形成されるスリット状の隙間の側面を閉じる第３部材とを備える、ことを特徴とする請求項１又は２に記載のテープカッター。
【請求項４】
前記第３部材は、一端側が前記第１部材の一方の側面に対向する他方の側面に軸支され、他端側の回動によって前記スリット状の隙間の側方を開放または閉成する板状部材である、ことを特徴とする請求項３に記載のテープカッター。
【請求項５】
前記分割刃部は、前記第１部材における前記スリット状の隙間を介して導かれた前記テープを長手方向に切断するように、前記第１部材の上面から突出して配置されたカッター刃を有する、ことを特徴とする請求項３又は４に記載のテープカッター。
【請求項６】
前記基台の表面に貼り付けられた補強用のフィラメントテープを更に具備する、ことを特徴とする請求項１乃至５いずれか１項に記載のテープカッター。
【請求項７】
前記第１部材における前記テープとの接触面、前記第２部材における前記テープとの接触面、及び前記分割刃部における前記テープとの接触面にそれぞれ貼り付けられ、前記テープの接着を防止するテフロンテープを更に具備する、ことを特徴とする請求項１乃至６いずれか１項に記載のテープカッター。
【考案の詳細な説明】
【技術分野】
【０００１】
本考案は、テープを長手方向に切断して分割する、テープカッターに関するものである。
【背景技術】
【０００２】
半導電性テープ（Ｃテープと呼ばれる）は、ゴムやプラスチック絶縁ケーブルの端末、接続部の内部導電層処理、及び外部導電層処理などに用いられている。このＣテープの巻き付け作業では、テープに皺が寄らないように、軽く引っ張りながら接着面の内側が１／２程度重なるように巻回している。
【０００３】
例えば、図８（ａ），（ｂ）に示すような絶縁ケーブル１，２の接続部３にＣテープ５を巻き付ける場合、ケーブル１，２と圧着端子４との間の領域１ａ，２ａにＣテープ５を巻き付け、接続部３の全体と絶縁ケーブル１，２の端末に巻回していく。
【０００４】
しかし、市販されているＣテープ５は、テープ幅が規格で決められており、対象ケーブルの状況に応じて、図８（ｃ）に示すようにハサミ６やカッターを使って現場にて適当なテープ幅に切断して使用している。
【０００５】
また、対象ケーブルの種類によっては、Ｃテープ５を狭いピッチで巻く必要がある場合があり、この場合にもテープ幅を狭くするためにＣテープ５を切断している。この切断する作業は、巻き癖のついているＣテープ５を、ハサミ６やカッターなどで縦（長手方向）に割く作業となるため、まっすぐに切れず切創の危険もある。
【０００６】
そこで、例えば、特許文献１では、筐体にテープホルダーを装着する内部空間を設け、この内部空間の底部にカッターを保持して、テープ面を刃部に押し付けながらテープホルダーを回転させることで、テープを長手方向に切断して分割している。
【０００７】
また、特許文献２には、テープ幅用刃部を弾性部材でテープの外周に押圧し、テープ幅を一定に切断して分割するテープカッターが記載されている。
【０００８】
この特許文献２では、弾性部材の押圧力を調整して送り部材の接触部を常にテープに接触させ、テープ幅用刃部の刃先の突出量がテープ厚以上になるのを防止することで、多層に巻回したテープの内層まで切断されないようにしている。
【先行技術文献】
【特許文献】
【０００９】
【特許文献１】実用新案登録第３１７１８７８号公報
【特許文献２】特許第５６７１７１９号公報
【考案の概要】
【考案が解決しようとする課題】
【００１０】
しかしながら、特許文献１の構成では、テープとテープカッターの簡易な装着脱ができるものの、厚みの異なるテープを分割する際には、刃部の保持位置（高さ）を正確に調整する必要がある。
【００１１】
一方、特許文献２の構成では、特許文献１に比べて、厚みの異なるテープへの対応が考慮されているが、弾性部材の押圧力とテープ幅用刃部の刃先の突出量を微妙に調整する必要があり、調整が煩雑になる。
【００１２】
しかも、可動部分や部品点数が多く構造も複雑になって、現場での作業には取り扱いに注意を要する、という課題がある。
【００１３】
そこで、本考案は如上のような従来存した諸事情に鑑み創出されたもので、可動部分や部品点数が少なく、現場での扱いが容易な強固な構成でありながら、厚みの異なるテープを長手方向に切断して分割できる、テープカッターを提供することを目的とする。
【課題を解決するための手段】
【００１４】
本考案に係るテープカッターは、基台と、前記基台の表面に設けられ、テープが巻き付け方向に対して回動自在に装着されるテープ装着部と、前記基台の表面に設けられ、前記テープ装着部から引き出された前記テープを、前記基台の表面に沿って導くスリット状のテープガイド部と、前記テープガイド部を介して導かれた前記テープを長手方向に切断する分割刃部と、を具備することで、上述した課題を解決した。
【００１５】
上記構成では、テープ装着部から引き出されたテープを、スリット状のテープガイド部で基台の表面に沿って導き、分割刃部で長手方向に切断する。よって、分割刃部は、巻回したテープ部ではなく、引き出されたテープを切断するので、テープの厚さを考慮して調整する必要がなく現場での扱いが容易になる。しかも、可動部分や部品点数も少ない強固な構成である。
【００１６】
また、前記テープ装着部は、前記基台に取り付けられ、前記テープの芯材またはリールを挿入して回転させる回転軸である、ことで、同じく、上述した課題を解決した。
【００１７】
このような構成によれば、回転軸にテープの芯材またはリールを挿入すれば良いので、テープを容易に装着できる。
【００１８】
また、前記ガイド部は、一方の側面が前記基台の表面に固定された板状の第１部材と、前記第１部材の上面との間に所定の間隔で配置され、前記テープ装着部から引き出された前記テープが通過するスリット状の隙間を形成する第２部材と、前記第１部材に取り付けられ、前記第１部材と前記第２部材で形成されるスリット状の隙間の側面を閉じる第３部材とを備える、ことで、同じく、上述した課題を解決した。
【００１９】
このような構成によれば、第３部材を用いて、スリット状の隙間の側面を開放した状態で、スリット状の隙間に側方からテープを通し、テープを通した後、スリット状の隙間の側面を閉じることで、引き出したテープを容易にスリット状のテープガイド部を通過させることができる。
【００２０】
加えて、前記第３部材は、一端側が前記第１部材の一方の側面に対向する他方の側面に軸支され、他端側の回動によって前記スリット状の隙間の側方を開放または閉成する板状部材である、ことで、同じく、上述した課題を解決した。
【００２１】
このような構成によれば、板状部材の回動によって、スリット状の隙間の側方を容易に開放または閉成できる。
【００２２】
また、前記分割刃部は、前記第１部材における前記スリット状の隙間を介して導かれた前記テープを長手方向に切断するように、前記第１部材の上面から突出して配置されたカッター刃を有する、ことで、同じく、上述した課題を解決した。
【００２３】
このような構成によれば、部品点数を少なくしつつ、テープを第１部材の上面から突出したカッター刃で長手方向に切断できる。
【００２４】
この他、前記基台の表面に貼り付けられた補強用のフィラメントテープを更に具備する、ことで、同じく、上述した課題を解決した。
【００２５】
このような構成によれば、フィラメントテープで基台を補強してより強固な構成にできる。
【００２６】
更に、本考案に係るテープカッターは、前記第１部材における前記テープとの接触面、前記第２部材における前記テープとの接触面、及び前記分割刃部における前記テープとの接触面にそれぞれ貼り付けられ、前記テープの接着を防止するテフロンテープを更に具備する、ことで、同じく、上述した課題を解決した。
【００２７】
このような構成によれば、テープの接着剤が各接触面に触れて接着され、切断作業を阻害するのを抑制でき、作業性が低下するのを防止できる。
【考案の効果】
【００２８】
本考案に係るテープカッターによれば、可動部分や部品点数が少なく、現場での扱いが容易な強固な構成でありながら、厚みの異なるテープを長手方向に切断して分割できる、テープカッターを提供できる。
【図面の簡単な説明】
【００２９】
【図１】本考案の実施形態に係るテープカッターの要部を示す斜視図である。
【図２】図１に示したテープカッターへのテープの装着方法について説明するための正面図である。
【図３】本考案の実施形態に係るテープカッターによるテープの切断方法について説明するための斜視図である。
【図４】切断前のテープと切断後のテープを示す斜視図である。
【図５】切断後のテープの使用例を示す斜視図である。
【図６】図５に続く、テープの使用例を示す斜視図である。
【図７】本考案の他の実施形態に係るテープカッターの要部を示す斜視図である。
【図８】従来の絶縁ケーブルの接続部へのテープの巻き付け作業について説明するための斜視図である。
【考案を実施するための形態】
【００３０】
以下に、図面を参照して、本考案の一実施の形態について説明する。
【００３１】
図１は、本考案の実施形態に係るテープカッターの要部を示している。
【００３２】
基台１１の表面には、テープ装着部１２が形成されており、このテープ装着部１２にＣテープ（半導電性テープ）１３が巻き付け方向に対して回動自在に装着されている。また、基台１１の表面には、テープガイド部１４が形成されており、テープ装着部１２から引き出されたＣテープ１３を、基台１１の表面に沿って導くようになっている。
【００３３】
更に、基台１１の表面には、分割刃部１５が形成されており、テープガイド部１４を介して導かれたＣテープ１３を長手方向に切断するように構成されている。
【００３４】
基台１１は、テープ装着部１２、テープガイド部１４及び分割刃部１５が形成される基盤であり、木製、樹脂製、金属製など様々な素材を用いることができるが、ここでは加工の容易な木製の板を用いている。
【００３５】
テープ装着部１２は、基台１１に取り付けられ、Ｃテープ１３の芯材１３ａまたはリールを挿入して回転させる回転軸である。本例では、ボルト１２ａを基台１１に貫通させており、基台１１の裏面にナットで固定している。
【００３６】
また、このボルト１２ａにＣテープ１３の芯材１３ａを挿入したときに、外れないように、ボルト１２ａの頭部と芯材１３ａとの間にストッパー（ワッシャーでも良い）１２ｂを介在させている。
【００３７】
テープガイド部１４は、一方の側面が基台１１の表面に固定された板状の第１部材１４−１と、第１部材１４−１の上面との間に所定の間隔で配置され、テープ装着部１２から引き出されたＣテープ１３が通過するスリット状の隙間１４ａを形成する第２部材１４−２と、第１部材１４−１に取り付けられ、スリット状の隙間１４ａの側面を閉じる第３部材１４−３とで構成される。これら第１乃至第３部材１４−１〜１４−３も、基台１１と同様に木製であるが、樹脂製や金属製など様々な素材を用いることができる。
【００３８】
第１部材１４−１の分割刃部１５側には、スリット状の貫通孔１４ｂが形成されている。第２部材１４−２は、直方体形状であり、１つの面と第１部材１４−１の上面との間にスリット状の隙間１４ａが形成される。
【００３９】
第３部材１４−３は、アルミニウムや鉄、あるいはこれらの合金製で長方形の板状部材で形成されている。この板状部材の長手方向の一端側が、第１部材１４−１の一方の側面に対向する他方の側面にネジ１６によって軸支される。板状部材の長手方向の他端側には、他方の側面にねじ込まれたネジ１８の頭部に対応する位置に切り欠き部１７が形成されている。
【００４０】
そして、ネジ１６を軸とする他端側の回動によってスリット状の隙間１４ａの側方を開放または閉成するようになっている。閉成したときには、切り欠き部１７がネジ１８に係止される。
【００４１】
分割刃部１５は、一方の側面が基台１１の表面に固定された板状の第４部材１５−１と、一方の表面が基台１１の表面に固定された板状の第５部材１５−２と、この第５部材１５−２の他方の表面に、例えばネジ１９で取り付けられたカッター刃１５−３とで構成されている。第４及び第５部材１５−１，１５−２も、基台１１と同様に木製であるが、樹脂製や金属製など様々な素材を用いることができる。
【００４２】
第４部材１５−１は、一方の表面が第１部材の短手方向の側面に固定されている。また、第５部材１５−２は、上面（短手方向の１つの側面）が第１部材１４−１の裏面に固定されている。これら第４及び第５部材１５−１，１５−２は、第１部材１４−１を固定するためにも働いている。
【００４３】
カッター刃１５−３は、第５部材１５−２の表面に固定されており、先端部が第１部材１４−１におけるスリット状の隙間１４ａを介して導かれたＣテープ１３を長手方向に切断するように、貫通孔１４ｂを介して第１部材１４−１の上面から突出して配置される。
【００４４】
図２は、図１に示したテープカッターへのＣテープ１３の装着方法について説明するための正面図である。
【００４５】
まず、第３部材１４−３を図２（ａ）に示すような状態から、図２（ｂ）に示すように、テープ装着部１２側に倒して、隙間１４ａの側面を開放する。次に、引き出したＣテープ１３を開放した側面からこの隙間１４ａに通し、カッター刃１５−３に触れないように上方に引き上げて、持ち手となるＣテープ１３端部を形成する。
【００４６】
続いて、図２（ｃ）に示すように、第３部材１４−３を、ネジ１６を軸として他端側を回動させ、切り欠き部１７をネジ１８に係止させることで、スリット状の隙間１４ａの側方を閉成する。これによって、Ｃテープ１３を長手方向に切断して分割する準備が完了する。
【００４７】
次に、Ｃテープ１３を長手方向に切断して分割する作業について説明する。
【００４８】
図３は、本考案の実施形態に係るテープカッターによるＣテープの切断方法を示している。まず、図３（ａ）に示すように、持ち手となるＣテープ１３端部を第１部材１４−１の上面と水平となるように押し下げ、カッター刃１５−３の先端部でＣテープ１３を突き破る。
【００４９】
この状態で図３（ｂ）に示すように、第１部材１４−１の上面と水平な方向にＣテープ１３を引っ張ると、Ｃテープ１３を長手方向に切断することができる。必要量の長さに達した場合、あるいは切断が終了した場合には、テープ装着部１２側に分割後のＣテープ１３を巻き取ることで、図４（ａ）に示すようなＣテープ１３を、図４（ｂ）に示すような幅の狭い２巻きのＣテープ１３−１，１３−２に分割できる。
【００５０】
図５及び図６は、切断後のＣテープの使用例について説明するためのもので、絶縁ケーブルの接続部へのテープの巻き付け作業を順次示している。
【００５１】
図５（ａ）に示すように絶縁ケーブル２１，２２の接続部２３にＣテープ１３−１を巻き付ける場合、ケーブル２１と圧着端子２４との間の領域２１ａにＣテープ１３−１の端部を貼り付け、図５（ｂ）に示すように指で押さえつつ、図５（ｃ）に示すようにＣテープ１３−１を巻回して、図６（ａ）に示すように圧着端子４と実質的に同じ高さにする。
【００５２】
次に、Ｃテープ１３−１を更に巻回して、図６（ｂ）に示すように、所定の厚みを有するように圧着端子２４にも巻回していく。この時、Ｃテープ１３−１で足らないときは、Ｃテープ１３−２を巻回していく。
【００５３】
そして、図６（ｃ）に示すように、Ｃテープ１３−１（１３−１）を連続して巻き付けて、接続部２３の全体と絶縁ケーブル２１，２２の端末に巻回していく。
【００５４】
このようにＣテープ１３−１（１３−１）を連続して巻き付けて、ケーブル２１，２２の間の領域に巻回することで、段差を少なくして電界を緩和し、電気ストレスの集中を抑制することができる。
【００５５】
図７は、本考案の他の実施形態に係るテープカッターの要部を示している。基本的な構成は図１に示した実施形態と同様であるが、見易くするために、Ｃテープ１３とガイド部１４の第３部材１４−３は、図から削除している。
【００５６】
基台１１の表面には、フィラメントテープ３０が貼り付けられている。このフィラメントテープ３０は、基台１１の補強用であり、テープ内の高強度の繊維によって基台１１を補強してより強固な構成にできる。
【００５７】
また、ガイド部１４における第１部材１４−１の上面（Ｃテープとの接触面）、第２部材１４−２の上面、下面及び両側面（Ｃテープとの接触面）、第４部材１５−１の側面などにテフロンテープ３１が貼り付けられている。
【００５８】
テフロンテープ３１は、第１部材１４−１の上面に形成されることで、分割刃部１５におけるＣテープ１３との接触面にも形成されることになる。このテフロンテープ３１は、Ｃテープ１３の接着防止用である。
【００５９】
すなわち、Ｃテープ１３の接着剤が各部材に触れて接着され、切断作業を阻害するのを抑制でき、作業性が低下するのを防止できる。
【００６０】
上述したように、本考案のテープカッターによれば、ハサミやカッターなどで切る作業が不要となるため、まっすぐに切ることができ切創の危険もない。また、厚みの異なるテープを切断する際に、微妙な調整をすることなく片手でも作業でき、作業負担の軽減が図れる。しかも、可動部分や部品点数が少なく強固な構造であり、現場での作業の際に取り扱いも容易である。
【００６１】
尚、本考案は上述した実施形態や他の実施形態に限定されるものではなく、要旨を逸脱しない範囲で種々変形して実施することが可能である。
【００６２】
例えば、上述した実施形態では、半導電性テープ（Ｃテープ）を切断する場合を例に取って説明したが、各種のテープに適用可能である。
【００６３】
また、カッター刃１５−３を第５部材１５−２にネジ１９で固定したが、脱着機構を設けて替え刃式にしても良い。更に、カッター刃１５−３を固定する第４部材１５−１に異なる厚さのものを用意し、カッター刃１５−３の位置を変えることで、切断後のテープ幅を変更することができる。この場合には、スリット状の貫通孔１４ｂのスリット幅を若干広げることで、カッター刃１５−３の位置を変更可能にすると良い。
【００６４】
この他、例えば、第２部材１４−２の上部に、テープを短手方向に切断するカッター部を設けても良い。このように構成することで、テープを長手方向だけでなく、短手方向にも切断できる。
【産業上の利用可能性】
【００６５】
本考案は、テープを長手方向に切断して分割するテープカッターに適用することができ、産業上有用である。
【符号の説明】
【００６６】
１，２…絶縁ケーブル
１ａ，２ａ…ケーブルと圧着端子との間の領域
３…接続部
４…圧着端子
５…Ｃテープ
６…ハサミ
１１…基台
１２…テープ装着部
１２ａ…ボルト
１２ｂ…ストッパー
１３，１３−１，１３−２…Ｃテープ
１３ａ…Ｃテープの芯材
１４…テープガイド部
１４ａ…スリット状の隙間
１４ｂ…スリット状の貫通孔
１４−１…第１部材
１４−２…第２部材
１４−３…第３部材
１５…分割刃部
１５−１…第４部材
１５−２…第５部材
１５−３…カッター刃
１６…ネジ
１７…切り欠き部
１８，１９…ネジ
２１，２２…絶縁ケーブル
２３…接続部
２４…圧着端子
３０…フィラメントテープ
３１…テフロンテープ
【図１】
0003233274.tif 000003
【図２】
0003233274.tif 000004
【図３】
0003233274.tif 000005
【図４】
0003233274.tif 000006
【図５】
0003233274.tif 000007
【図６】
0003233274.tif 000008
【図７】
0003233274.tif 000009
【図８】
0003233274.tif 000010
【手続補正書】
【提出日】令和3年6月6日(2021.6.6)
【手続補正１】
【補正対象書類名】実用新案登録請求の範囲
【補正対象項目名】全文
【補正方法】変更
【補正の内容】
【実用新案登録請求の範囲】
【請求項１】
基台と、
前記基台の表面に設けられ、テープが巻き付け方向に対して回動自在に装着されるテープ装着部と、
前記基台の表面に設けられ、前記テープ装着部から引き出された前記テープを、前記基台の表面に沿って導くスリット状のテープガイド部と、
前記テープガイド部を介して導かれた前記テープを長手方向に切断する分割刃部と、を具備することを特徴とするテープカッター。
【請求項２】
前記テープ装着部は、前記基台に取り付けられ、前記テープの芯材またはリールを挿入して回転させる回転軸である、ことを特徴とする請求項１に記載のテープカッター。
【請求項３】
前記ガイド部は、一方の側面が前記基台の表面に固定された板状の第１部材と、前記第１部材の上面との間に所定の間隔で配置され、前記テープ装着部から引き出された前記テープが通過するスリット状の隙間を形成する第２部材と、前記第１部材に取り付けられ、前記第１部材と前記第２部材で形成されるスリット状の隙間の側面を閉じる第３部材とを備える、ことを特徴とする請求項１又は２に記載のテープカッター。
【請求項４】
前記第３部材は、一端側が前記第１部材の一方の側面に対向する他方の側面に軸支され、他端側の回動によって前記スリット状の隙間の側方を開放または閉成する板状部材である、ことを特徴とする請求項３に記載のテープカッター。
【請求項５】
前記分割刃部は、前記第１部材における前記スリット状の隙間を介して導かれた前記テープを長手方向に切断するように、前記第１部材の上面から突出して配置されたカッター刃を有する、ことを特徴とする請求項３又は４に記載のテープカッター。
【請求項６】
前記基台の表面に貼り付けられた補強用のフィラメントテープを更に具備する、ことを特徴とする請求項１乃至５いずれか１項に記載のテープカッター。
【請求項７】
前記第１部材における前記テープとの接触面、前記第２部材における前記テープとの接触面、及び前記分割刃部における前記テープとの接触面にそれぞれ貼り付けられ、前記テープの接着を防止するポリテトラフルオロエチレンテープを更に具備する、ことを特徴とする請求項３に記載のテープカッター。
【手続補正２】
【補正対象書類名】明細書
【補正対象項目名】００２６
【補正方法】変更
【補正の内容】
【００２６】
更に、本考案に係るテープカッターは、前記第１部材における前記テープとの接触面、前記第２部材における前記テープとの接触面、及び前記分割刃部における前記テープとの接触面にそれぞれ貼り付けられ、前記テープの接着を防止するポリテトラフルオロエチレンテープを更に具備する、ことで、同じく、上述した課題を解決した。
【手続補正３】
【補正対象書類名】明細書
【補正対象項目名】００５７
【補正方法】変更
【補正の内容】
【００５７】
また、ガイド部１４における第１部材１４−１の上面（Ｃテープとの接触面）、第２部材１４−２の上面、下面及び両側面（Ｃテープとの接触面）、第４部材１５−１の側面などにポリテトラフルオロエチレンテープ、所謂テフロン（登録商標）テープ３１が貼り付けられている。
【手続補正４】
【補正対象書類名】明細書
【補正対象項目名】００５８
【補正方法】変更
【補正の内容】
【００５８】
テフロン（登録商標）テープ３１は、第１部材１４−１の上面に形成されることで、分割刃部１５におけるＣテープ１３との接触面にも形成されることになる。このテフロン（登録商標）テープ３１は、Ｃテープ１３の接着防止用である。
【手続補正５】
【補正対象書類名】明細書
【補正対象項目名】００６６
【補正方法】変更
【補正の内容】
【００６６】
１，２…絶縁ケーブル
１ａ，２ａ…ケーブルと圧着端子との間の領域
３…接続部
４…圧着端子
５…Ｃテープ
６…ハサミ
１１…基台
１２…テープ装着部
１２ａ…ボルト
１２ｂ…ストッパー
１３，１３−１，１３−２…Ｃテープ
１３ａ…Ｃテープの芯材
１４…テープガイド部
１４ａ…スリット状の隙間
１４ｂ…スリット状の貫通孔
１４−１…第１部材
１４−２…第２部材
１４−３…第３部材
１５…分割刃部
１５−１…第４部材
１５−２…第５部材
１５−３…カッター刃
１６…ネジ
１７…切り欠き部
１８，１９…ネジ
２１，２２…絶縁ケーブル
２３…接続部
２４…圧着端子
３０…フィラメントテープ
３１…テフロン（登録商標）テープ